(57)【要約】      （修正有）【課題】水とコップや歯磨き剤を必要とせず、歯を汚したその時その場で歯を磨いたり、歯に詰まった物を咄嗟に取り除く事が簡単に行えるシンプルな多機能歯ブラシを提供する。【解決手段】先端には植毛数が一般歯ブラシの半分に満たない植毛部１があり、伸びる柄の一方の端は平らな表面をして、その上に接続突起２を設けて成る下段歯ブラシＡを作る。先端には前記下段はブラシＡの植毛した台の厚みを差し引いた長さに毛を整え、植毛数が一般歯ブラシの半分に満たない植毛部３があり、伸びる柄の一方の端は背面を平らにし、前記下段歯ブラシＡの植毛部１が占める台の長さほど柄を短くして、前記下段歯ブラシＡの接続突起２の位置に合致する位置に接続孔４を設けた上段歯ブラシＢを作る。【選択図】図２
2005205119.tif 000002
【特許請求の範囲】
【請求項１】
先端には植毛数が一般歯ブラシの半分に満たない植毛部（１）があり、伸びる柄の一方の端は平らな表面をして、その上に接続突起（２）を設けて成る下段歯ブラシ（Ａ）を作る。
先端には前記下段はブラシ（Ａ）の植毛した台の厚みを差し引いた長さに毛を整え、植毛数が一般歯ブラシの半分に満たない植毛部（３）があり、伸びる柄の一方の端は背面を平らにし、前記下段歯ブラシ（Ａ）の植毛部（１）が占める台の長さほど柄を短くして、前記下段歯ブラシ（Ａ）の接続突起（２）の位置に合致する位置に接続孔（４）を設けた上段歯ブラシ（Ｂ）を作る。前記下段歯ブラシ（Ａ）の表面の上に前記上段歯ブラシ（Ｂ）を重ねると柄は二段に在るが２本の先端に植毛された毛の先端面は水平に近く揃い、前記上段歯ブラシ（Ｂ）の接続孔（４）が前記下段歯ブラシ（Ａ）の接続突起（２）に挿入できて成る、２本を並列にしたり、接続した部位を扇のようにずらし植毛部（１．３）を開いた状態のセット歯ブラシとして使用したり、接続した歯ブラシを開放して其々を使用したり、互換性ありマッチする別の下段歯ブラシ（Ａ）や上段歯ブラシ（Ｂ）を付け替え交換したり、前記各歯ブラシの毛を歯ブラシ使用者が自在にカットしたりして、使用者の状況に適応させた歯ブラシにセッティングして歯磨きや歯茎のブラッシングが行える。数本が一体になるセット歯ブラシ、セットを解けばシンプルな歯ブラシになる多機能歯ブラシ。
【発明の詳細な説明】
【技術分野】
【０００１】  九年前の一昨日、突如襲った阪神淡路大震災の惨状は目に余るものがありました。小さな問題かもしれないが歯を磨きたくても磨く事が出来ずに悲しい日々を過ごした方々の体験から、従来の歯ブラシと歯磨きの習慣に疑問が湧きました。
本発明は、水や歯磨き剤が無くても、歯を磨きたい時に素早く磨ける多機能な歯ブラシに関するものである。
【背景技術】
【０００２】  健康な歯を維持する事が健康維持の為に大変重要であるから、ほとんどの人はせっせと歯を磨く習慣を身に付けているが、その回数は１日に１回、多くて３回程度に制約されている。従来から在る歯ブラシは水やコップと歯磨き剤を同時に使う形状の物であるから、歯を汚した都度歯を磨きたいと思っても準備と行動が煩雑である理由から、磨きたい時に素早く磨く事が出来なかった。歯磨きの準備と行動が煩雑である現状は直接間接的に歯科保健衛生上の問題で在りながら、問題を解決しないで、不合理な従来歯ブラシによる歯磨き習慣が継続されてきた。従来歯ブラシの形状は物が詰まったりしている歯のワンポイントだけの汚れを磨く用具としても不向きで役立たないし、歯を汚した時直ちに磨く道具としては不便であり、歯の汚れを直ちに除去できない。磨きたい時に磨けない用具の普及により歯磨き回数が制約されている。形式的な歯磨き習慣のおかげで多くの人々の歯科衛生状態が改善されないまま今日を迎えている。
【発明の開示】
【発明が解決しようとする課題】
【０００３】  解決しようとする問題点は、従来の歯ブラシは使い方が煩雑である為、歯を汚したその時その場で歯を磨いたり、歯に詰まった物を容易に取り除く事を頻繁に行えなかった点である。
【課題を解決するための手段】
【０００４】  先端には植毛数が一般歯ブラシの半分に満たない植毛部があり、伸びる柄の一方の端は平らな表面をして、その上に接続突起を設けて成る下段歯ブラシを作る。
先端には前記下段はブラシの植毛した台の厚みを差し引いた長さに毛を整え、植毛数が一般歯ブラシの半分に満たない植毛部があり、伸びる柄の一方の端は背面を平らにし、前記下段歯ブラシの植毛部が占める台の長さほど柄を短くして、前記下段歯ブラシの接続突起の位置に合致する位置に接続孔を設けた上段歯ブラシを作る。
前記下段歯ブラシの表面の上に前記上段歯ブラシを重ねると柄は二段に在るが２本の先端に植毛された毛の先端面は水平に近く揃い、前記上段歯ブラシの接続孔が前記下段歯ブラシの接続突起に挿入できて成る、２本を並列にしたり、接続した部位を扇のようにずらし植毛部を斜めに開いた状態のセット歯ブラシとして使用したり、接続した歯ブラシを開放して其々を使用したり、互換性ありマッチする別の下段歯ブラシや上段歯ブラシを付け替え交換したり、前記の各歯ブラシの毛を使用者が自在にカットして整えたりして、使う時の状況に適応した歯ブラシにセッティングして歯磨きや歯茎のブラッシングが行える多機能歯ブラシを作る。
数本が一体として使用できるセット歯ブラシ、セットを解けば１本の歯ブラシになる多機能歯ブラシを提供し、取り扱いが煩雑であった従来歯ブラシに在った上記問題の解決手段とする。【０００５】  セット歯ブラシにおける接続開放装置であるが、何れかの歯ブラシに、その設ける個所の連結する側の面上に丸い突起を設け、もう一方の歯ブラシの連結する面に前記突起を食めたり外したりできる孔を設ける接続開放装置で良い。【０００６】  セット歯ブラシにおける接続開放装置であるが、セットする歯ブラシのその位置に、孔を設けておいて、別のボルトとナット状の物や、孔をリング状に止めたり、外したりできる孔で連結するリング止めを用いるのも良い。【０００７】  セット歯ブラシにおける接続開放装置であるが、セットする何れかの歯ブラシ柄の先端に植毛側に空いたポケットを設け、もう一方の重ねる歯ブラシの連結する端を前記ポケットにはまる形状にするのも良い。【０００８】  セット歯ブラシにおける接続開放装置であるが、セットする歯ブラシの柄の長サを整え重なり易い形状にしただけでも、手指で重ねた歯ブラシの柄を特に装置で固定しなくても持つだけで、少し注意すればセット歯ブラシとして機能させる事ができるし、接続開放が素早くできるなどにより、採用するのも良い。【０００９】  セット歯ブラシにおける柄の長サは、セットする歯ブラシの植毛先端部をマッチさせてあれば、長さが異なっても、接続装置の位置を合致させれば良いし、セットする歯ブラシの本数は無論２本で限定する事無く数多く重ね、植毛部が重ならないようにして用いるのも良い。【００１０】  歯ブラシの形状や素材、デザインやカラー、等は使用者のニーズにより諸々の物を選別して多くの種類を揃えるのが良い。
【発明の効果】
【００１１】  本発明の歯ブラシは、従来から在る多くの歯ブラシのように水とコップに歯磨き剤を使う方法でも使用できるが、専ら水とコップや歯磨き剤を用いる事無く、歯を汚した都度、歯を磨きたいと思った時、その時と場所を選ぶ事無く咄嗟に使用できる用具であり、その時その場で使用したくなる構成に成っているから、歯磨きが１日何回でも頻繁に行える。手軽でコンパクトな用具であり安価であるから、携行常備する事に迷いが無い。水資源の無駄使いをしないから助かる。
歯磨き回数が増え、食事やお茶が美味しく楽しめる。口内における雑菌の繁殖を抑制できて健康な歯を末長く維持できる自信が湧いてくる。使い始めると合理的な便益性に加え心地よい口中の爽快感が実感できる。使用者の歯科衛生状態が著しく好転する。
【発明を実施するための最良の形態】
【００１２】  先端に毛束を９個植毛し、一方の端平らな背面には丸い孔を設けた上段歯ブラシを、先端に毛束を６個植毛し、一方の端平らな表面に丸い棒状の突起を設けた、上段歯ブラシよりも６個植毛の部位の長さほど柄を長くした下段はブラシに、前記孔を前記突起に挿入し毛の長さを２本重ねても先端を水平に成るように整えて成る、其々ミニ歯ブラシとしても機能するブラシを重ねて接続しても使えるセット歯ブラシを製造した。
最良の形態であるかどうかは歯ブラシの植毛の質や形状等を選ぶ場合、使用者の好みに拠るところが台であるが、専ら水とコップや磨き剤の使用はしないのが良いが、本形状では、セット歯ブラシの２本を並列に保持して、従来の歯ブラシの如く水とコップや磨き剤を用いて使用できることは勿論、並列を少しずらして植毛部の幅を従来には無い広い範囲に広げて保持して使用することもできる。
セットを解除した其々のミニ歯ブラシは、従来の楊枝を使用する状態を援用する使い方に近い簡便な歯磨きが容易に行える、２本のミニ歯ブラシが在ると、各植毛部をブラッシングしていつもブラシ部を清潔に保てる。消耗品であるが毛が曲がったりしたり折れた場合にはその毛を鋏みでカットするといつまでも使用に耐えられる。
【実施例１】
【００１３】  図１に示すのは多機能セット歯ブラシであり、植毛束が９個の上段歯ブラシと植毛束が６個の下段歯ブラシで構成され、並列に接続突起に接続孔が嵌められている状態で、接続の締まり具合は小さな子供でも着脱が容易に行える程度である。
【実施例２】
【００１４】  図２に示すのは多機能セット歯ブラシであり、上記図１の接続部を扇のように指で左右に少し開いて、ブラシ部分を幅広にした状態で、上下の歯を同時に磨ける。
【実施例３】
【００１５】  図３に示す如く上記図１図２の接続を開放し、独立して使用できる下段歯ブラシであり、歯の間に物が詰まった場合など咄嗟に使用できるし、楊枝を使うように手軽に扱える。歯磨きや歯茎のマッサージを普段から欠かさない道具として頻繁に使用できる。開放した上段歯ブラシも同様に使用できる。ブラシでブラシをブラッシングできる。
【実施例４】
【００１６】  図４に示す如く図１．２．３の下段歯ブラシと柄の長さは同じであるが、植毛部の台に段差を設けた下段歯ブラシであり、毛の長さをセットする上段歯ブラシと同じ長さに揃えて使用できる形状である。
【産業上の利用可能性】
【００１７】  歯ブラシは人の日常生活に欠かせない物であり、本発明の歯ブラシには従来にない優れた性能がシンプルに具現化されているから、一度ご使用戴ければ便利さに深く理解得心され継続的にお求めいただけます。
産業上の利用可能性は無限に広がっているから、セット歯ブラシを構成する植毛部や接続の形状、植毛する毛の質、ブラシの台の形状や質については種々、諸々の素材を採用できるから、使用者の為に良い物を広角的に選んで量産して、良い物を安く提供できるようにするのが良い。
【図面の簡単な説明】
【００１８】
【図１】並列した多機能セット歯ブラシの略左側面図である（実施例１）
【図２】植毛部を横に開いた多機能セット歯ブラシの略正面図である（実施例２）
【図３】図１．２の下段歯ブラシの略斜視図である（実施例３）
【図４】図１．２の下段歯ブラシの植毛部の台に角度をつけて毛の長さを上段と同一にした略左側面図である（実施例４）
【符号の説明】
【００１９】  １  下段植毛部
２  接続突起
３  上段植毛部
４  接続孔
Ａ  下段歯ブラシ
Ｂ  上段歯ブラシ
【図１】
2005205119.tif 000003
【図２】
2005205119.tif 000004
【図３】
2005205119.tif 000005
【図４】
2005205119.tif 000006